(57)【特許請求の範囲】
【請求項１】
分析装置のためのサンプルセルであって、
外部本体であって、前記外部本体の内部にサンプル貯留部を形成している、外部本体と、
前記外部本体の上端に配置されて前記サンプル貯留部の上端を形成している方向性充填バルブであって、前記充填バルブは充填中サンプルを受け入れ、充填後排出する間サンプル漏れを防ぐ、充填バルブと、
前記外部本体の下端を覆い、前記サンプル貯留部の底端部を形成するフィルムであって、前記フィルムは前記サンプルを前記分析装置の分析焦点に設置する、フィルムと
を含むことを特徴とするサンプルセル。
【請求項２】
前記フィルムを前記外部本体の前記下端の周囲に固定して締めるためのリングであって、前記外部本体の前記下端の周囲を前記フィルムの上から締め続けているリングをさらに含むことを特徴とする請求項１に記載のサンプルセル。
【請求項３】
前記リングの端は前記フィルムが覆って締めている前記外部本体の前記下端を越えて延び、前記サンプルセルは表面上に設置される際前記リングの前記下端上に置くことができ、したがって前記フィルムは前記延びのサイズに対応した距離だけ前記表面から離れることを特徴とする請求項２に記載のサンプルセル。
【請求項４】
前記外部本体は内壁と外壁を含み、前記内壁と前記外壁の間に前記リングは摩擦によって留められ、前記内壁の下端は、周囲に前記フィルムが締められている前記外部本体の前記下端を含むことを特徴とする請求項２に記載のサンプルセル。
【請求項５】
前記外壁は前記フィルムが覆って締めている前記内壁の前記下端を越えて延び、前記サンプルセルは表面上に設置される際前記外壁上に置くことができ、したがって前記フィルムは前記延びのサイズに対応した距離だけ前記表面から離れることを特徴とする請求項４に記載のサンプルセル。
【請求項６】
前記充填バルブはサンプル充填の間ピペットを収容するための一方向、エラストマー充填バルブであり、前記ピペットを取り除く際に前記サンプルの漏れを防ぎ、同時に充填の際前記貯留部の排出を提供することを特徴とする請求項１に記載のサンプルセル。
【請求項７】
前記サンプル貯留部内部に形成され、前記ピペットを前記充填バルブに挿入している間、前記ピペットが前記サンプル貯留部を通過して前記フィルムに届くのを妨げるように前記充填バルブに合わせて調整された遮断構造をさらに含むことを特徴とする請求項６に記載のサンプルセル。
【請求項８】
前記遮断構造は前記遮断構造を越えて少なくともサンプルの１部が循環できる構造であることを特徴とする請求項７に記載のサンプルセル。
【請求項９】
前記遮断構造は、所定のサイズの前記サンプルの粒子状の物質が前記遮断構造を越えて循環でき、同時に前記サイズを越えるサイズの粒子状の物質が前記遮断構造を越えて循環できないようにするための開口部を含むことを特徴とする請求項８に記載のサンプルセル。
【請求項１０】
前記遮断構造の前記開口部のうちの１つは、前記遮断構造の底に、前記サンプルが跳ねることなく下に流れるために十分大きく、前記ピペットを前記充填バルブに挿入している間、前記ピペットが前記遮断構造を通過して前記フィルムに届くのを妨げるために十分小さい穴を備えることを特徴とする請求項９に記載のサンプルセル。
【請求項１１】
前記フィルムは実質的に取り外せないように備え付けられたリングを使用して実質的に取り外せないように前記外部本体の周囲に取り付けられることを特徴とする請求項１に記載のサンプルセル。
【請求項１２】
前記充填バルブを適切な位置に保持するために、実質的に取り外せないように前記外部本体の上部に適合するキャップをさらに含むことを特徴とする請求項１１に記載のサンプルセル。
【請求項１３】
前記充填バルブを適切な位置に保持するために、実質的に取り外せないように前記外部本体の上部に適合するキャップをさらに含むことを特徴とする請求項１に記載のサンプルセル。
【請求項１４】
請求項１に記載のサンプルセルとＸ線分析装置機関の組み合わせであって、前記Ｘ線分析装置機関は前記サンプルセル内の前記サンプルとのアライメントを要求する焦点を有する、組み合わせ。
【請求項１５】
励起および／または検出光路上に配置された少なくとも１つのＸ線光学素子をさらに含むことを特徴とする請求項１４に記載の組み合わせ。
【請求項１６】
前記少なくとも１つのＸ線光学素子は湾曲単色光学素子および／またはポリキャピラリー光学素子を含むことを特徴とする請求項１５に記載の組み合わせ。
【請求項１７】
前記Ｘ線分析装置機関は前記検出光路上に単色光学素子を有するＷＤＸＲＦ分析装置機関を含むことを特徴とする請求項１５に記載の組み合わせ。
【請求項１８】
前記分析装置は硫黄分析装置であることを特徴とする請求項１７に記載の組み合わせ。
【請求項１９】
前記Ｘ線分析装置機関は、前記励起光路上に少なくとも１つの光学素子、および前記検出光路上にエネルギー分散検出器を有するＥＤＸＲＦ分析装置機関を含むことを特徴とする請求項１５に記載の組み合わせ。
【請求項２０】
前記サンプルセルは、前記サンプルセルの前記フィルムに接触している支持を利用して、前記組み合わせの中の前記フィルムによって支持され、よって前記サンプルの前記焦点へのアライメントが確実に行われることを特徴とする請求項１５に記載の組み合わせ。
【発明の詳細な説明】
【技術分野】
【０００１】
＜関連出願への相互参照＞
本出願は、２００７年１１月３０日に出願された米国特許仮出願６０／９９１，３９６の権益を主張し、この仮出願は完全に本明細書に参照により組み込まれる。
【０００２】
本発明は、一般的にはサンプルの解析のためのサンプル取扱セルに関し、とりわけ、特に液体サンプルのための、汚染の最小化および精密な位置取りが要求されるＸ線分析装置用の精密サンプルセルに関する。
【背景技術】
【０００３】
液体のＸ線分析は、医療、医薬、および石油などの各業界において感心が高まってきている分野である。本明細書に参照により組み込まれ、本発明の譲受人であるＸ−Ｒａｙ  Ｏｐｔｉｃａｌ  Ｓｙｓｔｅｍｓ，Ｉｎｃ．に譲渡されている特許文献１および特許文献２において、液体サンプルの分析用の単色波長分散蛍光Ｘ線（ＭＷＤ  ＸＲＦ）技術およびシステムが開示されている。１特定例として、これらの特許は石油系燃料中の硫黄レベルの測定技術を開示し、市販の分析装置（ＳＩＮＤＩＥ）は、石油の精製、パイプライン、およびターミナル施設においてこの測定用に現在広く使用されている。
【０００４】
最近、政府は、検出の限界が１５ｐｐｍよりずっと低い計器の必要性の結果、ディーゼル燃料中の硫黄のレベルを１５ｐｐｍ未満となるよう義務付けた。ＳＩＮＤＩＥ分析装置のある市販の型は１ｐｐｍ未満の検出限界を示す。
【０００５】
性能、再現性、および再生能力のこのレベルを維持するために、可能性のある種々の測定環境において、Ｘ線分析装置機関へのサンプルの設置を慎重に、かつ正確に完了させなければならない。サンプルはいかなる汚染も受けてはならないだけではなく、サンプルセルそのものもこのセルの重要な表面上にいかなる汚染を受けてはならない。その上、サンプルセルの排出は（特に石油に適用すると）重要な問題であり、石油を適切に封入することも重要である。サンプルセルは、通常、多くの操作の誤差の影響を受けない状態でなければならない。
【０００６】
最終的には、サンプルセルは、サンプルを（以下に議論するように、ｚ−軸に沿って）正確な距離に、必須のＸ線分析発光点への適切なアライメントに合うようにＸ線分析装置機関に設置しなければならない。このｚ−軸アライメントは、Ｘ線の励起および／または検出光路上の１つまたは２つの分離された光学素子の焦点の測定の検出感度（上記の組み込まれている米国特許中に開示されている、および以下に詳細に議論するような）Ｘ線分光可能な分析装置にとって非常に重要である。
【０００７】
よって、要求されているものは、Ｘ線分析装置に適用するための、汚染を最小限にし、操作によって引き起こされる誤差の可能性を最小限にし、Ｘ線分析装置機関、とくにＸ線分光可能な分析装置機関にサンプルの正確なアライメントを提供する、正確に形成されたサンプルセルである。
【先行技術文献】
【特許文献】
【０００８】
【特許文献１】米国特許第６，９３４，３５９号明細書
【特許文献２】米国特許第７，０７２，４３９号明細書
【特許文献３】米国特許第６，２８５，５０６号明細書
【特許文献４】米国特許第６，３１７，４８３号明細書
【特許文献５】米国特許第７，０３５，３７４号明細書
【特許文献６】米国特許出願第１１／９４１，３７７号明細書
【特許文献７】米国特許第５，１９２，８６９号明細書
【特許文献８】米国特許第５，１７５，７５５号明細書
【特許文献９】米国特許第５，４９７，００８号明細書
【特許文献１０】米国特許第５，７４５，５４７号明細書
【特許文献１１】米国特許第５，５７０，４０８号明細書
【特許文献１２】米国特許第５，６０４，３５３号明細書
【特許文献１３】米国特許第７，１１０，５０６号明細書
【特許文献１４】米国特許第７，２０９，５４５号明細書
【発明の概要】
【０００９】
本発明によって、従来技術の欠点は克服され、さらなる利点が提供されているが、この本発明の１形態は、内部にサンプルの貯留部を形成する外部本体を有する解析機器用のサンプルセルである；外部本体の上端に配置されてサンプル貯留部の上端を形成している方向性充填バルブであって、充填中サンプルを受け入れ、充填後排出する間サンプルの漏れを防ぐための充填バルブと、外部本体の下端を覆い、サンプルの貯留部の底端部を形成するフィルムであって、サンプルを分析装置の分析焦点に設置するためのフィルムとを含む。本体の周囲のフィルムに対して、止め具が本体の周囲をフィルムを覆うような状態のままで、リングを使用することもある。１実施形態において、リングはサンプルセルの外部本体の内壁と外壁の間に形成された円筒状の空洞内に設置されてもよい。
【００１０】
充填バルブは、サンプルを充填固定して締める間ピペットを収容するための、一方向性の、エラストマーの充填バルブであってもよい。
【００１１】
サンプルセルは、特に、サンプルセル内でサンプルのアライメントを要求する焦点を有しているＸ線分析装置機関に適している。たとえばＷＤＸＲＦまたはＥＤＸＲＦシステム内に、少なくとも１つのＸ線光学素子が、焦点へのアライメントを要求する、励起および／または検出光路上に配置されてよい。
【００１２】
組立の大部分(または全て)は、工場で行ってもよく、誤作動を除外しながら部品の互換性を保つ。汚染は、貯留部の下端の空間的に隔離されたフィルムと同様、閉めることのできる充填バルブを開けて使用することによって防げられる。よって、本発明の正確な構造およびアライメントの特性によってＸ線分析システムにおける正確なアライメントが確保され、したがって測定の正確さおよび信頼性が向上する。
【００１３】
本発明の手法を通じてさらなる特性および利点が明確になった。本明細書に本発明のほかの実施形態および態様が詳細に記述され、主張された発明の一部とみなされる。
【００１４】
明細書の終末において、本発明とみなされる対象が特に挙げられ、特許請求の範囲の中で明確に主張される。本発明の上述の、およびほかの対象物、特性および利点が、添付の図に関連付けられた以下の詳細な記述によって明らかになる。
【図面の簡単な説明】
【００１５】
【図１】本発明の一態様にかかるサンプルセルの斜視図である。
【図２】図１のサンプルセルの断面図である。
【図３】図１のサンプルセルの上面図である。
【図４】図１のサンプルセルの底面図である。
【図５】本発明のほかの態様にかかるサンプルセルの斜視図である。
【図６】図５のサンプルセルの断面図である。
【図７】図５のサンプルセルの上面図である。
【図８】図５のサンプルセルの底面図である。
【図９】本発明のほかの態様による、Ｘ線分光可能なＸ線分析装置機関の焦点に調整された分析装置本発明のサンプルセルの概略図である。
【発明を実施するための形態】
【００１６】
本発明の第１の態様に従って、図１から図４（同様の要素は同様の符号を使用して引用される）を参照することにより、撮影前の、正確なサンプルセル１０が提供される。サンプルセルは、内部のサンプル貯留部を形成している外部本体１２を含み、内部のサンプル貯留部の上端は、典型的な摩擦によって密着するキャップ１４によって適所に保たれている充填バルブ１８を含む。
【００１７】
充填バルブは一方向性、すなわち（ピペットまたは他の挿入装置による）サンプルの挿入が許されるのは１方向であり、サンプルが逆の方向にもれるのは妨げられていることが望ましい。Ｌｉｑｕｉｄ  Ｍｏｌｄｉｎｇ  Ｓｙｓｔｅｍｓ社のＳＵＲＥＦＬＯまたはＭＥＤＩＦＬＯ一方向性エラストマーバルブはこのような一方向性バルブの例である。このようなバルブは、１実施形態において、サンプル貯留部の適切な排出機能を提供するように設計／選択されることもできる。
【００１８】
内部のサンプル貯留部の下端は、本体１２の下端１３の周囲をきつく巻き付けることができるフィルム２０（たとえば、マイラー）で形成され、コンフォーマルリングを用いて適所に保持されている。下端１３の周辺の辺りでフィルムと本体を接着する接着剤、超音波、ＲＦ、またはほかの加熱方法ほかの取り付け手法が利用できる。フィルムはサンプルを保持するための（および、以下でさらに議論するように、サンプルセル全体を機器内部で支持するための）十分な強度を有しているように設計されており、一方でＸ線を、その結果蛍光Ｘ線をＸ線分析装置機関へ／から透過できるのが望ましい。サンプルは液体サンプル、部分的に液体のサンプル、または固体（たとえば、パウダー）サンプルであることができる。
【００１９】
フィルム２０はコンフォーマルリング１６を用いて本体１２の下端13の周辺の適所に固定されてもよい。１実施形態において、リングは、部位１９に付随の面とかみ合うかかりの付いた形状のへりによって、または原理的に永久的な取り付けを提供するほかのスナップ方式によって分解を阻止または防ぐための適所にスナップ式に止まる。本発明のこの態様に従って、摩擦によって密着するキャップ１４および／またはバネリング１６は基本的に永久的に本体１２に取り付けられるように設計されている。この永久的な取り付けはキャップ１４の摩擦によって、およびリング１６では１方向のバルブ１９によってなされることができる。このような永久的な取り付け（すなわち、正確な組立の容易さにおいて）は充填バルブを正確に位置付けること、および／またはフィルムが正確に取り付けられることを確実にする。この正確な、出荷時に配置される取り付けは正確な位置付けを確実にし、現場における不正な変更を防ぐが、ある程度のレベルの構成素子の交換を可能にし、大量に仕入れたフィルム、および異なる種類のフィルムまたは充填バルブを切ることができる能力を含んでいる。
【００２０】
本発明のほかの態様にしたがうと、リング１６の端部は本体の下端１３を越えてフィルムが固定され凹部１７を形成している部位まで延びている。よって、サンプルセルは、表面上に設置する際、凹部の深さに対応した距離だけ表面から離れたフィルムを使用して、リング１６の下端の上に置かれることができる。これは、サンプルセルを使用している間、フィルム２０の外部表面の汚染を防ぐ。
【００２１】
フィルム２０を挿入したピペットで刺すことから防ぐために、遮断構造２２を貯留部内部に配置することもできると同時にサンプルを貯留部内部で循環させることもできる。遮断構造２２内の開口部２４を、ある大きさの微粒子をフィルム付近の解析領域に選択的に通過させるために使用することもできる。
【００２２】
ほかの特性は、Ｘ線分析装置機関内部のセルの鉛直方向の設置を補助／制御することができる平面端２１、およびセルの水平方向の／回転の設置を補助／制御することができる対面１５を含む。本発明の正確な大きさおよびフィルムの取り付けにより、上記で議論したように、Ｘ線分析システムにとって重要な、サンプルのＺ軸方向の正確な位置取りができるようになる。
【００２３】
上記で議論した本体およびほかの部品は高密度ポリエチレン（ＨＤＰＥ）コンパウンド、ＰＥＴ、またはポリプロピレンの射出成形を用いて成形することができる。
【００２４】
本発明のほかの実施形態に従い、図５から図８を（同様の要素は同様の符号を使用して引用される）参照することにより、撮影前の、正確なサンプルセル１１０が提供される。サンプルセルは、内部のサンプル貯留部を形成している外部本体１１２を含み、内部のサンプル貯留部の上端は、典型的なスナップ式のキャップ１１４によって適所に保たれている充填バルブ１１８を含む。
【００２５】
充填バルブは一方向性、すなわち（ピペットまたは他の挿入装置による）サンプルの挿入が許されるのは１方向であり、サンプルが逆の方向にもれるのは妨げられていることが望ましい。Ｌｉｑｕｉｄ  Ｍｏｌｄｉｎｇ  Ｓｙｓｔｅｍｓ社のＳＵＲＥＦＬＯまたはＭＥＤＩＦＬＯ一方向性エラストマーバルブはこのような一方向性バルブの例である。このようなバルブは、１実施形態において、サンプル貯留部の適切な排出機能を提供するように設計／選択されることもできる。
【００２６】
内部のサンプル貯留部の下端は、本体１１２のある下端１１３の周囲をきつく巻き付けることができるフィルム１２０（たとえば、マイラー）で形成され、コンフォーマルリング１１６を用いて適所に保持されている。下端１１３の周辺の辺りでフィルムと本体を接着する接着剤、超音波、ＲＦ、またはほかの加熱方法ほかの取り付け手法が利用できる。フィルムはサンプルを保持するための（および、以下でさらに議論するように、サンプルセル全体を機器内部で支持するための）十分な強度を有しているように設計されており、一方でＸ線を、その結果蛍光Ｘ線をＸ線分析装置機関へ／から透過できるのが望ましい。サンプルは液体サンプル、部分的に液体のサンプル、または固体（たとえば、パウダー）サンプルであることができる。
【００２７】
フィルム１２０はコンフォーマルリング１１６を用いて本体１１２の下端１１３の周辺の適所に固定されてもよい。１実施形態において、リング１１６は、摩擦によって、たとえば本体１１２の一部として形成された外壁１２８と内壁１２６との間の適所に留められる。リング１１６は外壁１２８と内壁１２６との間に形成された円筒空洞に押し込まれ、この方法は原理的に永久的な取り付けを提供する。本発明のこの態様に従って、スナップ式キャップ１１４および／または摩擦リング１１６は基本的に永久的に本体１１２に取り付けられるように設計されている。リング１１６の永久的な取り付けはリングと、内壁および／または外壁との摩擦によってなされることができる。このような永久的な取り付け（すなわち、正確な組立の容易さにおいて）は充填バルブを正確に位置付けること、および／またはフィルムが正確に取り付けられることを確実にする。この正確な、出荷時に配置される取り付けは正確な位置付けを確実にし、現場における不正な変更を防ぐが、ある程度のレベルの構成素子の交換を可能にし、大量に仕入れたフィルム、および異なる種類のフィルムまたは充填バルブを切ることができる能力を含んでいる。
【００２８】
本発明のほかの態様にしたがうと、外壁１２８の下端部は内壁１２６の下端１１３を越えてフィルムが固定され凹部１１７を形成している部位まで延びている。よって、サンプルセルは、表面上に設置する際、凹部の深さに対応した距離だけ表面から離れたフィルムを使用して、外壁１２８の上に置かれることができる。これは、サンプルセルを使用している間、フィルム１２０の外部表面の汚染を防ぐ。
【００２９】
フィルム１２０を挿入したピペットで刺すことから防ぐために、遮断構造１２２を貯留部内部に配置することもできると同時にサンプルを貯留部内部で循環させることもできる。遮断構造１２２内の開口部１２４を、ある大きさの微粒子をフィルム付近の解析領域に選択的に通過させるために使用することもできる。１つの開口部、たとえば穴１２５は遮断構造１２２の底部に設置され、サンプルが上に跳ねることなくサンプルがフィルムへ入ることができる程度に十分大きく、ピペットが通ってフィルムに穴を開けるのを防ぐことができる程度に十分小さい。
【００３０】
ほかの特性は、Ｘ線分析装置機関内部のセルの鉛直方向の設置を補助／制御することができる平面端１２１、およびセルの水平方向の／回転の設置を補助／制御することができる対面１１５を含む。本発明の正確な大きさおよびフィルムの取り付けにより、上記で議論したように、Ｘ線分析システムにとって重要な、サンプルのＺ軸方向の正確な位置取りができるようになる。
【００３１】
ある典型的な寸法を図５、７、および８に示す；すでに知られた手法と比較して、本発明におけるサンプルセルの寸法がいくぶん小さいことを示している。サンプルセルの全体の高さは約０．８インチより小さく、外周は約１．０インチより小さい。一般的に、本研究で、示されている寸法の約±２５％の変動が原則として生じているとみなされる。
【００３２】
本発明の第１（図１から４）と第２（図５から８）の実施形態の特性のいかなる組み合わせも、本発明の本質から逸脱することなく組み合わせることができることを当業者は認識するであろう。
【００３３】
図９は典型的なＭＷＤ  ＸＲＦ  Ｘ線分析装置機関２００にサンプルセル１０または１１０を組み合わせた概略図を示している。Ｘ線分析装置機関は、サンプルセル内にサンプルを挿入したアライメントを要求する焦点を有している。機関２００は、１実施形態において、Ｘ線源２１０および検出器２５０を含む。Ｘ線光学素子２２０および／または２４０を機関の励起および／または検出光路上に設置できる。これらの光学素子は、上記で議論したように、必要不可欠な検出限界を機能させるために、サンプルの位置の高度なアライメントを要求する。このような光学素子は、たとえば、同一出願人により特許文献３、特許文献４、および特許文献５において開示されているような湾曲結晶単色光学素子；および／または同一出願人により２００７年１１月１６日に出願された「Ｘ−Ｒａｙ  Ｆｏｃｕｓｉｎｇ  Ｏｐｔｉｃ  Ｈａｖｉｎｇ  Ｍｕｌｔｉｐｌｅ  Ｌａｙｅｒｓ  Ｗｉｔｈ  Ｒｅｓｐｅｃｔｉｖｅ  Ｃｒｙｓｔａｌ  Ｏｒｉｅｎｔａｔｉｏｎ」という名称の特許文献６において開示されているような多層光学素子；および／または同一出願人により特許文献７、特許文献８、特許文献９、特許文献１０、特許文献１１、および特許文献１２において開示されているようなポリキャピラリー光学素子を含む。同一出願人により特許文献１３、および特許文献１４に開示されているような光学素子／光源の組み合わせも使用できる。上記の特許および特許出願はそれぞれ完全に本明細書に参照により組み込まれる。
【００３４】
励起および／または検出光路上の湾曲結晶単色光学素子は図９に示されており、上記で議論したＳＩＮＤＩＥ硫黄分析装置の構成である。しかし、１つの光学素子はこれらの光路のうちの１つ上にのみ存在してよく、その上正確なアライメントを要求する。１例において、上記のタイプのうちのいずれかの光学素子は励起光路上にのみ存在してよく、検出光路はエネルギー分散型検出器を含むであろう。これはエネルギー分散型蛍光Ｘ線（ＥＤＸＲＦ）システムの一般的な構成である。
【００３５】
１実施形態において、焦点へのサンプルの正確なアライメントを確実にするために、サンプルセルは、直接フィルムに接している１つまたは複数の支持体２６０上に置くことができるであろう。支持体の上面（図示せず）は、焦点に一致するように計器の中に位置取りされており、フィルム表面が支持体上に置かれたとき、正確なアライメントが確保される。
【００３６】
本発明のサンプルセルは重要な利点を提供する。主な（またはすべての）組立は工場内で行われ、誤作動を除外しながら部品の互換性を保つ。汚染は、貯留部の下端の空間的に隔離されたフィルムと同様、閉めることのできる充填バルブを開けて使用することによって防げられる。よって、本発明の正確な構造およびアライメントの特性によってＸ線分析システムにおける正確なアライメントが確保され、したがって測定の正確さおよび信頼性が向上する。
【００３７】
好ましい実施形態が挙げられ、詳細が記述されてきたが、本発明の本質から逸脱することなく様々な変更、追加、置換などを行うことができることは当業者にとっては明らかであり、よってこれらは以下の特許請求の範囲内で定義される発明の範囲内にあるとみなされる。
【図１】
0005451630.tif 000002
【図２】
0005451630.tif 000003
【図３】
0005451630.tif 000004
【図４】
0005451630.tif 000005
【図５】
0005451630.tif 000006
【図６】
0005451630.tif 000007
【図７】
0005451630.tif 000008
【図８】
0005451630.tif 000009
【図９】
0005451630.tif 000010